(57)【要約】【課題】伝送効率を向上させることができる送信装置及び受信装置、或いはそれらの内部で用いられる回路を提供する。【解決手段】  送信装置は、映像処理部と、所定の規格に従った第１の伝送フォーマットでデータを外部機器に送信する映像送信部とを備える。映像処理部は、映像フレームについての非圧縮の映像データと映像データに付随する補助データとを、第１の伝送フォーマットよりもブランキング領域の小さい第２の伝送フォーマットで映像送信部に出力する。映像送信部は、第２の伝送フォーマットで伝送された映像データと補助データとを受信し、受信した映像データと補助データとを第１の伝送フォーマットで外部機器に送信する。【選択図】図４
2017079371.tif 000002
【特許請求の範囲】
【請求項１】
映像処理部と、
所定の規格に従った第１の伝送フォーマットでデータを外部機器に送信する映像送信部
とを備え、
前記映像処理部は、映像フレームについての（１）非圧縮の映像データと（２）前記映
像データに付随する補助データとを、前記第１の伝送フォーマットよりも非ブランキング
領域が大きい第２の伝送フォーマットで前記映像送信部に出力し、
前記映像送信部は、前記第２の伝送フォーマットで伝送された前記映像データと前記補
助データとを受信し、受信した前記映像データと前記補助データとを前記第１の伝送フォ
ーマットで前記外部機器に送信する、
送信装置。
【請求項２】
前記第２の伝送フォーマットにおいて、前記映像データと前記補助データとは、非ブラ
ンキング領域に配置される、請求項１の送信装置。
【請求項３】
前記第２の伝送フォーマットは、前記第１の伝送フォーマットよりもブランキング領域
が小さく、
１フレームあたりのブランキング領域と非ブランキング領域を合わせた領域の（１）ラ
イン数または（２）水平ピクセル数は、前記第１の伝送フォーマットと前記第２の伝送フ
ォーマットとで同一である、請求項２の送信装置。
【請求項４】
前記第２の伝送フォーマットの垂直ブランキング領域のライン数は、前記第１の伝送フ
ォーマットの垂直ブランキング領域のライン数よりも少ない、請求項３の送信装置。
【請求項５】
前記第２の伝送フォーマットの水平ブランキング領域の水平ピクセル数は、前記第１の
伝送フォーマットの水平ブランキング領域の水平ピクセル数よりも少ない、請求項３の送
信装置。
【請求項６】
前記第２の伝送フォーマットにおいて前記補助データが配置される位置は、前記第１の
伝送フォーマットにおけるブランキング領域である、請求項３乃至５の何れかの送信装置
。
【請求項７】
前記第２の伝送フォーマットにおいて前記映像データの一部が配置される位置は、前記
第１の伝送フォーマットにおけるブランキング領域である、請求項３乃至５の何れかの送
信装置。
【請求項８】
前記第２の伝送フォーマットは、前記第１の伝送フォーマットと同一のブランキング領
域を有する、又はブランキング領域を有さない、請求項２の送信装置。
【請求項９】
前記補助データは、映像フレーム毎のＨＤＲ（Ｈｉｇｈ  Ｄｙｎａｍｉｃ  Ｒａｎｇｅ
）に関するデータである、請求項２乃至８の何れかの送信装置。
【請求項１０】
映像フレームについての（１）非圧縮の映像データと（２）前記映像データに付随する
補助データとを、所定の規格に従った第１の伝送フォーマットで外部機器から受信し、受
信した前記映像データと前記補助データとを、前記第１の伝送フォーマットよりも非ブラ
ンキング領域が大きい第２の伝送フォーマットで送信する映像受信部と、
前記第２の伝送フォーマットで送信された前記映像データと前記補助データとを受信し
、受信した前記映像データと前記補助データとを用いて映像信号を生成する映像処理部と
、
を備える受信装置。
【請求項１１】
前記第２の伝送フォーマットにおいて、前記映像データと前記補助データとは、非ブラ
ンキング領域に配置される、請求項１０の受信装置。
【請求項１２】
前記第２の伝送フォーマットは、前記第１の伝送フォーマットよりもブランキング領域
が小さく、
１フレームあたりのブランキング領域と非ブランキング領域を合わせた領域の（１）ラ
イン数または（２）水平ピクセル数は、前記第１の伝送フォーマットと前記第２の伝送フ
ォーマットとで同一である、請求項１１の受信装置。
【請求項１３】
前記第２の伝送フォーマットの垂直ブランキング領域のライン数は、前記第１の伝送フ
ォーマットの垂直ブランキング領域のライン数よりも少ない、請求項１２の受信装置。
【請求項１４】
前記第２の伝送フォーマットの水平ブランキング領域の水平ピクセル数は、前記第１の
伝送フォーマットの水平ブランキング領域の水平ピクセル数よりも少ない、請求項１２の
受信装置。
【請求項１５】
前記第２の伝送フォーマットにおいて前記補助データが配置される位置は、前記第１の
伝送フォーマットにおけるブランキング領域である、請求項１２乃至１４の何れかの受信
装置。
【請求項１６】
前記第２の伝送フォーマットにおいて前記映像データの一部が配置される位置は、前記
第１の伝送フォーマットにおけるブランキング領域である、請求項１２乃至１４の何れか
の受信装置。
【請求項１７】
前記第２の伝送フォーマットは、前記第１の伝送フォーマットと同一のブランキング領
域を有する、又はブランキング領域を有さない、請求項１１の受信装置。
【請求項１８】
前記補助データは、映像フレーム毎のＨＤＲ（Ｈｉｇｈ  Ｄｙｎａｍｉｃ  Ｒａｎｇｅ
）に関するデータである、請求項１１乃至１７の何れかの受信装置。
【発明の詳細な説明】
【技術分野】
【０００１】
本発明の実施形態は、データを効率的に伝送する送信装置及び受信装置に関する。
【背景技術】
【０００２】
映像送信装置と映像受信装置との間のマルチメディアインターフェースの一例としてＨ
ＤＭＩ（登録商標）(High Definition Multimedia Interface)規格がある。ＨＤＭＩ出力
端子を有する映像送信装置をソース機器と称し、ＨＤＭＩ入力端子を有する映像受信装置
をシンク機器と称する。ソース機器は、ＨＤＭＩ送信部として機能するＨＤＭＩ用ＬＳＩ
を有し、更に、デコードされた映像データをＨＤＭＩ用ＬＳＩに出力する映像処理用ＬＳ
Ｉを有する。シンク機器は、ＨＤＭＩ受信用ＬＳＩと、ＨＤＭＩ受信用ＬＳＩから出力さ
れる映像データを処理し、表示装置に供給するための映像信号を生成する映像処理用ＬＳ
Ｉとを有する。ソース機器及びシンク機器の内部では、ＨＤＭＩ用ＬＳＩと映像処理用Ｌ
ＳＩとの間が所定のインターフェースで接続され、このインターフェース上で映像データ
が伝送される。
【先行技術文献】
【特許文献】
【０００３】
【特許文献１】特表２００５−５１４８７３号公報
【発明の概要】
【発明が解決しようとする課題】
【０００４】
今後、ＨＤＭＩ用ＬＳＩと映像処理用ＬＳＩとの間のインターフェースにおいて、従来
の映像データとは異なる情報が伝送されるようになった場合、該情報を効率良く伝送する
ことが求められる。
【０００５】
そこで本発明の実施形態は、伝送効率を向上させることができる送信装置及び受信装置
、或いはそれらの内部で用いられる回路の提供を目的とする。
【課題を解決するための手段】
【０００６】
送信装置は、映像処理部と、所定の規格に従った第１の伝送フォーマットでデータを外
部機器に送信する映像送信部とを備える。映像処理部は、映像フレームについての非圧縮
の映像データと映像データに付随する補助データとを、第１の伝送フォーマットよりも非
ブランキング領域が大きい第２の伝送フォーマットで映像送信部に出力する。映像送信部
は、第２の伝送フォーマットで伝送された映像データと補助データとを受信し、受信した
映像データと補助データとを第１の伝送フォーマットで外部機器に送信する。
【０００７】
受信装置は、映像受信部と映像処理部とを備える。映像受信部は、映像フレームについ
ての非圧縮の映像データと映像データに付随する補助データとを、所定の規格に従った第
１の伝送フォーマットで外部機器から受信し、受信した映像データと補助データとを、第
１の伝送フォーマットよりも非ブランキング領域が大きい第２の伝送フォーマットで送信
する。映像処理部は、第２の伝送フォーマットで送信された映像データと補助データとを
受信し、受信した映像データと補助データとを用いて映像信号を生成する。
【図面の簡単な説明】
【０００８】
【図１】実施形態の送信装置及び受信信装置の利用形態例を示す図。
【図２】実施形態の送信装置及び受信装置のハードウェアシステムの構成例を示す図。
【図３】実施形態の送信装置及び受信装置において、補助データが無い場合のビデオ伝送タイミングフォーマット例を示す図。
【図４】実施形態の送信装置及び受信装置において、補助データが有る場合のビデオ伝送タイミングフォーマット例を示す図。
【図５】実施形態の送信装置及び受信装置において、補助データが有る場合のビデオ伝送タイミングフォーマット例を示す図。
【図６】実施形態の送信装置及び受信装置において、補助データが有る場合のビデオ伝送タイミングフォーマット例を示す図。
【図７】実施形態の送信装置による映像送信に係る処理フローを示す図。
【図８】実施形態の受信装置による映像受信に係る処理フローを示す図。
【発明を実施するための形態】
【０００９】
以下、図面を参照して実施形態を説明する。
【００１０】
図１は、第１の実施の形態に係るデータ伝送システムの一例を示す全体図である。
【００１１】
このデータ伝送システムでは、本実施の形態においてソース機器となる再生装置１００
と、シンク機器となる表示装置２００とがＨＤＭＩケーブル３００により接続されている
。
【００１２】
再生装置１００は、ディスクドライブ１０１を備え、光学ディスク等に記憶された符号
化映像データを再生（デコード）し、デコードした映像データをＨＤＭＩケーブル３００
を介して表示装置１００に出力する。表示装置２００は、表示部２０３を備え、受信した
映像データを用いて映像を表示する。
【００１３】
図２は再生装置１００及び表示装置２００のハードウェア構成例を示す。
【００１４】
再生装置１００は、ディスクドライブ１０１、記憶部１０２、通信部１０３、映像処理
部１０４、ＨＤＭＩ送信部１０５を備える。１０１〜１０５の各構成はハードウェア回路
として実現され、図中にて構成の間を繋ぐ線は、基板上の専用線や規格化された汎用通信
バス等の電気配線を示す。なお、例えば映像処理部１０４等の一部の機能はソフトウェア
により実現されることもあるが、機能がソフトウェアにより実現されていても、該機能が
プログラム格納メモリとＣＰＵとを含むハードウェア回路により実現されているとして考
えても良い。
【００１５】
ディスクドライブ１０１は光学ディスクに記録された符号化映像データを読み込んで映
像処理部１０４に出力する。また記憶部１０２は、ＨＤＤやＳＳＤ等の記憶モジュールで
あり、録画された符号化映像データやネットワークを介して受信した符号化映像データを
記憶する。そして記憶部１０２は、記憶している符号化映像データを映像処理部１０４に
出力する。通信部１０３は、無線ＬＡＮ、有線ＬＡＮ及び移動体通信等のための送受信機
であり、通信により符号化映像データを取得する。取得する符号化映像データは、例えば
インターネットの公共のページ上に公開された符号化映像データや、ＶｏＤサービスのサ
ーバが提供する符号化映像データである。即ち通信部１０３は、外部機器が記憶する符号
化映像データを取得する。そして通信部１０３は、取得した符号化映像データを映像処理
部１０４に出力する。
【００１６】
映像処理部１０４は、入力された符号化映像データ（圧縮映像データ）をデコードし、
非圧縮の映像データを生成する。映像処理部は、ＬＳＩとして構成されたハードウェアデ
コーダであっても良いし、あるいは再生装置１００がＣＰＵを有する場合はＣＰＵがメモ
リからデコードプログラムを読み込んで実行しても良い。なお、ここで得られる映像デー
タのフォーマットは様々である。例えば色空間のフォーマットとしては、ＲＧＢ（ＲＧＢ
４：４：４）、ＹＣｂＣｒ４：４：４、ＹＣｂＣｒ４：２：２、ＹＣｒＣｂ４：２：０等
のフォーマットが想定される。なお、ＨＤＭＩ規格において将来的にＹＣｂＣｒ４：１：
１が規定されれば、該フォーマットが用いられても良い。ＲＧＢフォーマットとしては、
Ｒ，Ｇ，Ｂ各要素のデータ量が８ビットのフォーマット、１０ビットのフォーマット、１
２ビットのフォーマット、１６ビットのフォーマット等がある。ＹＣｂＣｒ４：４：４、
ＹＣｂＣｒ４：２：２及びＹＣｒＣｂ４：２：０のフォーマットとしては、Ｙ，Ｃｂ，Ｃ
ｒ各要素のデータ量が８ビットのフォーマット、１０ビットのフォーマット、１２ビット
のフォーマット、１６ビットのフォーマット等がある。解像度のフォーマットとしては、
６４０×４８０、１２８０×７２０、１９８０×１０８０、３８４０×２１６０、４０９
６×２１６０、７６８０×４３２０等が考えられ、フレームレートのフォーマットは、３
０Ｈｚ、５０Ｈｚ、６０Ｈｚ等が考えられる。そして映像処理部１０４は、生成した映像
データを、伝送インターフェース１１０を介し、図３乃至図６で後述するフォーマットで
ＨＤＭＩ送信部１０５に出力する。
【００１７】
また映像処理部１０４は、入力された符号化映像データが、各映像フレームのＨＤＲ（
Ｈｉｇｈ  Ｄｙｎａｍｉｃ  Ｒａｎｇｅ）情報等の補助データを含む場合、当該補助デー
タを図４乃至図６で後述するフォーマットによりＨＤＭＩ送信部１０５に出力する。なお
、ここでのＨＤＲ情報は、所謂静的なＨＤＲ情報ではなく、動的なＨＤＲ情報を想定して
いる。即ち、フレーム毎に、該フレームの映像の内容に合ったＨＤＲ情報が付随している
。
【００１８】
ＨＤＭＩ送信部１０５は、ＬＳＩ等の回路により構成され、映像処理部１０４から伝送
インターフェース１１０を介して入力された映像データ及び補助データを所定の伝送フォ
ーマットの映像信号に変換し、ＨＤＭＩケーブル３００を介して表示装置２００に出力す
る。なおＨＤＭＩ送信部１０５は、入力された映像データをＴＭＤＳエンコードするＴＭ
ＤＳエンコーダ、ＨＤＭＩ受信部と通信するマイクロコンピュータ、等を有する。ＴＭＤ
Ｓエンコーダは、エンコードにより得られたデータを、ＨＤＭＩインターフェースのチャ
ンネル０（ＣＨ０）、チャンネル１（ＣＨ１）、チャンネル２（ＣＨ２）の夫々の線に出
力する。
【００１９】
表示装置２００は、ＨＤＭＩ受信部２０１、映像処理部２０２、表示部２０３を備える
。ＨＤＭＩ受信部２０１はＬＳＩにより構成され、再生装置１００からの映像信号を受信
する。そしてＨＤＭＩ受信部２０１は、受信した映像信号を、図３乃至図６にて後述する
フォーマットの映像データに変換し、伝送インターフェース２１０を介して映像処理部２
０２に出力する。なおＨＤＭＩ受信部２０１は、チャンネル０（ＣＨ０）、チャンネル１
（ＣＨ１）、チャンネル２（ＣＨ２）の夫々の線から受信した映像データをＴＭＤＳデコ
ードするＴＭＤＳデコーダ、ＨＤＭＩ送信部と通信するマイクロコンピュータ、等を有す
る。
【００２０】
映像処理部２０２は、ＨＤＭＩ受信部２０１入力された映像データを、表示部２０３が
表示可能な形式の映像信号に変換し、当該映像信号を表示部２０３に出力する。表示部２
０３は入力された映像信号を用いて映像を表示する。
【００２１】
図３乃至図５は、映像処理部１１０からＨＤＭＩ送信部１０５への伝送、及びＨＤＭＩ
受信部２０１から映像処理部２０２への伝送に用いられるフォーマット例を示す。
【００２２】
図３は、ＨＤＲデータ等の補助データを伝送しない場合のフォーマット例である。ここ
では、縦横の画素数が３８４０×２１６０＠３０ＨｚのＲＧＢ形式の映像を伝送する際の
例を示している。映像処理部１０４は、映像領域とブランキング領域とを含むデータを送
信する。映像領域は、水平方向に３８４０、垂直方向に２１６０のサイズであり、この領
域に１フレーム分の映像データが配置される。なお図３以降の例では、映像データがＲＧ
Ｂフォーマットの１フレーム分の非圧縮映像データであるとして説明するが、映像データ
は、ＹＣｂＣｒ４：４：４、ＹＣｂＣｒ４：２：２、ＹＣｒＣｂ４：２：０、ＹＣｒＣｂ
４：１：１等のフォーマットの１フレーム分の非圧縮映像データであっても良い。
【００２３】
垂直ブランキング領域（Ｖｅｒｔｉｃａｌ  Ｂｌａｎｋｉｎｇ）は、垂直方向に９０ラ
インの幅を持ち、水平ブランキング領域（Ｈｏｒｉｚｏｎｔａｌ  Ｂｌａｎｋｉｎｇ）は
水平方向に５６０ピクセルの幅を持つ。各垂直ブランキング領域の特定の領域には、垂直
方向の同期のための垂直同期コードが埋め込まれており、同様に、各水平ブランキング領
域の特定の領域には、水平方向の同期の為の水平同期コードが埋め込まれている。
【００２４】
なお図３のフォーマットは、ＨＤＭＩ送信部１０５からＨＤＭＩ受信部２０１への映像
伝送でも用いられる。ここでＨＤＭＩ送信部１０５は、ＨＤＲデータ等の補助データを伝
送する場合、既存のまたは将来に策定されるＨＤＭＩ規格に従って伝送する。この規格に
従えば、補助データは、例えば、ブランキング領域、又は映像データの空きビット、又は
他の領域に埋め込まれる。そしてＨＤＭＩ受信部２０１は、ＨＤＲ情報がブランキング領
域に埋め込まれている場合、該補助データのヘッダに埋め込まれた識別子により補助デー
タを検出し、該補助データを抽出する。また、ブランキング領域には、表示装置２００を
制御するための情報、音声データ、及び伝送中の映像のフォーマットを通知するためのＩ
ｎｆｏＦｒａｍｅ等が埋め込まれる。
【００２５】
図４（Ａ）は、補助データが伝送される場合のフォーマット例である。ＨＤＭＩ送信部
１０５は、映像領域とブランキング領域とを含むデータを送信する。非ブランキング領域
は、水平方向に３８４０、垂直方向に２１６０＋ｎのサイズであり、この領域に映像デー
タと補助データとが配置される。垂直ブランキング領域（Ｖｅｒｔｉｃａｌ  Ｂｌａｎｋ
ｉｎｇ）は、ＨＤＭＩ規格においては垂直方向に９０ライン、水平方向に４４００ピクセ
ルの幅であるが、本実施形態では、そのうち映像データの直前のライン（映像データの前
であって、かつ映像データのラインと隣り合うライン）から所定数ｎのラインには補助デ
ータが配置される。即ち、図４（Ａ）の例では、ｎライン×３８４０ピクセルが、補助デ
ータのための領域として割り当てられている。
【００２６】
言い換えると、４Ｋ２Ｋ＠３０Ｈｚ  ＲＧＢフォーマットでの垂直ブランキングのライ
ン数は、ＨＤＭＩ規格においては９０であるが、図４（Ａ）では９０−ｎとなる。このた
め映像処理部１０４（又はＨＤＭＩ受信部２０１）は、図４（Ａ）のフォーマットでの映
像伝送に先立ってＨＤＭＩ送信部１０５（又は映像処理部２０２）と通信し、図４（Ａ）
のフォーマットの情報を共有する。つまり映像処理部１０４（又はＨＤＭＩ受信部２０１
）とＨＤＭＩ送信部１０５（又は映像処理部２０２）とは、フォーマットの垂直ブランキ
ングのライン数が（９０−ｎ）であること、あるいはフォーマットの垂直ブランキングの
ライン数がｎ少ないこと、をどちらか一方から他方に対して通知し、ブランキング領域の
サイズを調整する。
【００２７】
なお、上述したように、補助データの例としては、各映像フレームのＨＤＲ（Ｈｉｇｈ
Ｄｙｎａｍｉｃ  Ｒａｎｇｅ）情報が考えられる。つまり、図４（Ａ）のフォーマット
では、例えば、フレーム１の映像データの直前に、フレーム１の映像をハイコントラスト
化するためのＨＤＲ情報が配置され、フレーム２の映像データの直前に、フレーム２の映
像をハイコントラスト化するためのＨＤＲ情報が配置される。しかし、このフォーマット
のデータを送信側あるいは受信側で処理する際に、映像データの処理完了までに当該映像
データの直前の補助データの処理が完了しないケースも考えられるため、補助データを、
当該補助データが対応する映像フレームより前の映像フレームとペアにしても良い。つま
り、フレームｎの映像データの直前にフレーム（ｎ−α）の補助データを配置しても良い
。
【００２８】
図４（Ｂ）は、補助データが伝送される場合のフォーマットの別の例である。このフォ
ーマットでは、補助データは、映像データの直後のライン（映像データの後であって、か
つ映像データのラインと隣り合うライン）から所定数ｎのラインに配置される。
【００２９】
図５（Ａ）及び（Ｂ）は、補助データが伝送される場合のフォーマットの更に別の例で
ある。図５（Ａ）の例において、補助データは、水平ブランキング領域のうち映像データ
の直前のピクセル（映像データの前（左）であって、かつ映像データのピクセルと隣り合
うピクセル）から所定数ｍのピクセルに配置される。つまり、図５（Ａ）の例では２１６
０ライン×ｍピクセルが補助データのための領域として割り当てられている。また、図５
（Ｂ）の例では、補助データは、映像データの直後のピクセル（映像データの後（右）で
あって、かつ映像データのピクセルと隣り合うピクセル）から所定数ｍのピクセルに配置
される。
【００３０】
図６は、補助データが伝送される場合のフォーマットの更に別の例である。このフォー
マットでは、ブランキング領域は縮小されず、非ブランキング領域がｎライン分増加され
ている。その結果、ブランキング領域と非ブランキング領域を合わせた領域の１フレーム
あたりのライン数がｎ増加している。そして補助データは非ブランキング領域に配置され
ている。
【００３１】
なお図６においては、映像データの直前に補助データを配置しているが、映像データの
直後に補助データを配置しても良い。また、非ブランキング領域のサイズは、垂直方向で
なく水平方向に増加されても良く、この場合、図５の例のように、映像データの直前（左
）又は直後（右）のｍピクセルに補助データが配置される。また、図６においてはブラン
キング領域が存在しているが、ブランキング領域が存在せず全て非ブランキング領域のフ
ォーマットであっても良い。
【００３２】
図７は再生装置１００による処理フロー例を示す。図７（Ａ）は、映像処理部１０４が
ＨＤＭＩ送信部１０５に映像伝送する際の処理フローを、図７（Ｂ）は、ＨＤＭＩ送信部
１０５が映像処理部１０４から映像を受信して表示装置２００に送信する際の処理フロー
である。
【００３３】
図７（Ａ）の処理において、まず映像処理部１０４は、ＨＤＭＩ送信部１０５と通信を
行い、映像を伝送するためのフォーマットを決定する（Ｓ７０１）。なお、映像に補助デ
ータがある場合は、図４乃至図６で例示したフォーマットの何れかを伝送フォーマットと
して決定する。そして映像に補助データがある場合（Ｓ７０２のＹｅｓ）、映像処理部１
０４は、図４乃至図６にて説明したフォーマットに従って補助データと映像データとを配
置し、配置されたデータを送信する（Ｓ７０３、Ｓ７０４、Ｓ７０５）。一方映像に補助
データが無い場合（Ｓ７０２のＮｏ）、映像データを図３のフォーマットに従って配置し
、配置されたデータを伝送する（Ｓ７０６、Ｓ７０５）。
【００３４】
図７（Ｂ）の処理において、まずＨＤＭＩ送信部１０４は、映像処理部１０４と通信を
行い、映像を伝送するためのフォーマットを決定する（Ｓ７１０）。上述したように、映
像に補助データがある場合は、図４乃至図６で例示したフォーマットを伝送フォーマット
として決定する。なおＨＤＭＩ送信部１０４は、ＨＤＭＩ受信部２０１からＥＤＩＤを読
み込み、ＨＤＭＩケーブル３００を介して伝送するためのフォーマットも決定するが、こ
こでは詳述しない。フォーマットが決定された後、映像処理部１０４は映像送信を開始し
、ＨＤＭＩ送信部１０５は映像受信を開始する（Ｓ７１１）。そして、補助データが含ま
れる映像が伝送されている場合（Ｓ７１２のＹｅｓ）、ＨＤＭＩ送信部１０５は、図４乃
至図６のフォーマットのデータから補助データと映像データを抽出する（Ｓ７１３、Ｓ７
１４）。そしてＨＤＭＩ送信部１０５は、図３のフォーマットに従って補助データと映像
データとを配置し（Ｓ７１５）、これらデータが配置されたデータをＨＤＭＩケーブル３
００を介して表示装置２００に送信する（Ｓ７１６）。
【００３５】
一方、ＨＤＭＩ送信部１０５が、補助データの無い映像を受信している場合（Ｓ７１２
のＮｏ）、ＨＤＭＩ送信部１０５は、図３のフォーマットに従って映像データが配置され
たデータを受信し、このデータから映像データを抽出する（Ｓ７１６）。そしてＨＤＭＩ
送信部１０５は、抽出した映像データを再度図３のフォーマットに従って配置し（Ｓ７１
８）、配置されたデータをＨＤＭＩケーブル３００を介して表示装置２００に送信する（
Ｓ７１６）。
【００３６】
図８は、表示装置２００による処理フロー例を示す。図８（Ａ）は、ＨＤＭＩ受信部２
０１が再生装置１００から映像を受信して映像処理部２０２に送信する際の処理フローを
、図８（Ｂ）は、映像処理部２０２がＨＤＭＩ受信部２０１から映像を受信して表示部２
０３に表示させる際の処理フローである。
【００３７】
図８（Ａ）の処理において、ＨＤＭＩ受信部２０１は、ＨＤＭＩ送信部１０５から図３
のフォーマットで送信されたデータを受信し、受信したデータから補助データ（もしあれ
ば）や映像データ等の各種のデータを抽出する（Ｓ８０１）。そしてＨＤＭＩ受信部２０
１は、映像処理部２０２と通信を行い、映像処理部２０２に映像を送信するためのフォー
マットを決定する（Ｓ８０２）。映像に補助データがある場合は、図４乃至図６で例示し
たフォーマットを伝送フォーマットとして決定する。なおＳ８０１とＳ８０２の順は逆で
も良く、例えば、ＨＤＭＩ受信部２０１は、ＨＤＭＩ送信部１０５から送信されたデータ
に埋め込まれたＩｎｆｏＦｒａｍｅを解析して伝送データ中の補助データの有無等を判別
し、解析結果に応じて映像処理部２０２との間での伝送フォーマットを決定してもよい。
【００３８】
そして映像に補助データがある場合（Ｓ８０３のＹｅｓ）、ＨＤＭＩ受信部２０１は、
抽出した補助データと映像データとを、図４乃至図６にて説明したフォーマットに従って
配置し、配置されたデータを送信する（Ｓ８０４、Ｓ８０５、Ｓ８０６）。一方、映像に
補助データが無い場合（Ｓ８０２のＮｏ）、抽出した映像データを図３のフォーマットに
従って配置し、配置されたデータを伝送する（Ｓ８０７、Ｓ８０８）。
【００３９】
図８（Ｂ）の処理において、まず映像処理部２０２は、ＨＤＭＩ受信部２０１と通信を
行い、映像を伝送するためのフォーマットを決定する（Ｓ８１０）。上述したように、映
像に補助データがある場合は、図４乃至図６で例示したフォーマットを伝送フォーマット
として決定する。フォーマットが決定された後、ＨＤＭＩ受信部２０１は映像送信を開始
し、映像処理部２０２は映像受信を開始する（Ｓ８１１）。そして、補助データが含まれ
る映像が伝送されている場合（Ｓ８１２のＹｅｓ）、映像処理部２０２は、図４乃至図６
のフォーマットのデータから補助データと映像データを抽出する（Ｓ８１３、Ｓ８１４）
。そして映像処理部２０２は、映像データと補助データとを用いて映像信号を生成し、生
成した映像信号を表示部２０３に出力して表示させる（Ｓ８１５）。即ち、例え補助デー
タが、各映像フレームのＨＤＲ情報であれば、映像処理部２０２は、映像データとＨＤＲ
情報とを用い、映像データのみの場合に生成される映像信号よりもハイコントラストな映
像信号を生成する。
【００４０】
一方、補助データの無い映像を受信している場合（Ｓ８１２のＮｏ）、映像処理部２０
２は、図３のフォーマットに従って映像データが配置されたデータを受信し、このデータ
から映像データを抽出する（Ｓ８１６）。そして映像処理部２０２は、映像データを用い
て映像信号を生成し、生成した映像信号を表示部２０３に出力して表示させる（Ｓ８１７
）。
【００４１】
なお上記の実施形態においては、補助データの伴う映像データを伝送する場合に、ブラ
ンキング領域のサイズを減少したフォーマットで伝送を行うように送信側と受信側とで調
整し、該フォーマットにより補助データを伝送していたが、補助データの伝送方法はこれ
に限らない。例えば、映像データを伝送するための線の他に補助線を設け、該補助線によ
り補助データを伝送しても良い。そして、補助線で伝送される補助データに垂直同期コー
ド及び水平同期コードを埋め込めば、映像データと補助データとを受信側で同期させるこ
とができる。
【００４２】
本発明のいくつかの実施形態を説明したが、これらの実施形態は、例として提示したも
のであり、発明の範囲を限定することは意図していない。これら新規な実施形態は、その
他の様々な形態で実施されることが可能であり、発明の要旨を逸脱しない範囲で、種々の
省略、置き換え、変更を行うことができる。これら実施形態やその変形は、発明の範囲や
要旨に含まれるとともに、特許請求の範囲に記載された発明とその均等の範囲に含まれる
。
【符号の説明】
【００４３】
１００…再生装置、１０１…読み込み部、１０２…記憶部、１０３…通信部、１０４…映
像処理部、１０５…ＨＤＭＩ送信部、１１０…伝送インターフェース、２００…表示装置
、２０１…ＨＤＭＩ受信部、２０２…映像処理部、２０３…表示部、２１０…伝送インタ
ーフェース、３００…ＨＤＭＩケーブル
【図１】
2017079371.tif 000003
【図２】
2017079371.tif 000004
【図３】
2017079371.tif 000005
【図４】
2017079371.tif 000006
【図５】
2017079371.tif 000007
【図６】
2017079371.tif 000008
【図７】
2017079371.tif 000009
【図８】
2017079371.tif 000010